(57)【要約】【課題】いかなる方式で同期信号が送られてきても安定した画像表示、安定した駆動回路制御を実現することを目的とする。【解決手段】伝送方式の入力映像信号を画像表示装置に適した表示形式に変換するデジタル信号処理装置において、入力映像信号の基準クロックを水平同期信号を基準に計数する第１の計数回路１と、前記水平同期信号を前記基準クロックで任意に遅延可能な遅延回路３と、前記第１の計数回路１の計数結果を用いて所定の信号を基準に前記基準クロックを計数するパルス発生回路２と、前記遅延回路３の出力パルスと前記パルス発生回路２の出力パルスを比較して所定の方式に従って入力パルスを選択出力する同期選択回路４とを具備した。【選択図】図１
2005142624.tif 000002
【特許請求の範囲】
【請求項１】
垂直同期信号及び水平同期信号と前記同期信号に同期した映像データとからなるデジタル伝送方式の入力映像信号を画像表示装置に適した表示形式に変換するデジタル信号処理装置において、入力映像信号の基準クロックを水平同期信号を基準に計数する第１の計数回路と、前記水平同期信号を前記基準クロックで任意に遅延可能な遅延回路と、前記第１の計数回路の計数結果を用いて所定の信号を基準に前記基準クロックを計数する第２の計数回路と、前記遅延回路の出力パルスと前記第２の計数回路の出力パルスを比較して所定の方式に従って入力パルスを選択出力する同期選択回路とを具備したデジタル信号処理装置。
【発明の詳細な説明】
【技術分野】
【０００１】
本発明は、デジタル信号処理にて映像信号をフォーマット変換するデジタル信号処理装置に関するものである。
【背景技術】
【０００２】
近年、デジタル伝送方式にて映像信号を伝達し、画像表示装置に表示する方式が主流になりつつある。従来のアナログ方式と異なり、映像データと同期信号全てがデジタルデータとして送られる。
【０００３】
しかしながら、デジタル伝送方式が普及するに連れ、規格外方式で同期信号を出力するものが出てきた。主にパーソナルコンピュータ等でその傾向が高く、各メーカーのアナログ方式ビデオボードで使用していた同期形式をそのままデジタル方式に変換したものが存在する。
【０００４】
このような映像信号は、アナログ方式で存在した特定場所で同期信号周期が異なる、或いは垂直同期信号のシンク期間近傍（シンク期間を含む前後の領域）で、水平同期信号がなくなる等の水平同期信号の不連続期間を有するものがある。このような信号を表示する方法として、具体的な先行技術文献情報はないが、垂直同期信号を検出し、次に水平同期信号が来たところで、内部処理用の垂直同期信号を再生する等の方法がある。
【発明の開示】
【発明が解決しようとする課題】
【０００５】
しかし、プラズマディスプレイに代表されるデジタル表示デバイスでは、そのパネル駆動方式から、水平同期信号等の同期信号不連続期間が存在すると、駆動方式が乱れ、表示画面異常、発光異常、駆動回路制御異常等の問題が発生し、視覚的に見栄えが悪くなるのみならず、ひどい場合にはシャットダウンや駆動回路破壊を引き起こすという課題があった。
【０００６】
本発明はこのような課題を解決し、いかなる方式で同期信号が送られてきても安定した画像表示、安定した駆動回路制御を実現することを目的とするものである。
【課題を解決するための手段】
【０００７】
上記目的を達成するために本発明は、伝送方式の入力映像信号を画像表示装置に適した表示形式に変換するデジタル信号処理装置において、入力映像信号の基準クロックを水平同期信号を基準に計数する第１の計数回路と、前記水平同期信号を前記基準クロックで任意に遅延可能な遅延回路と、前記第１の計数回路の計数結果を用いて所定の信号を基準に前記基準クロックを計数する第２の計数回路と、前記遅延回路の出力パルスと前記第２の計数回路の出力パルスを比較して所定の方式に従って入力パルスを選択出力する同期選択回路とを具備したデジタル信号処理装置である。
【発明の効果】
【０００８】
本発明によれば、デジタル伝送方式による映像信号において、不連続期間を検出し、連続期間と等価な同期信号を生成し、不連続同期と前記生成同期信号を入れ替える回路を構成したことにより、不連続同期による表示映像異常や、駆動回路の誤動作を無くし、回路誤動作により回路破壊を防止することができる。
【発明を実施するための最良の形態】
【０００９】
以下、本発明の一実施の形態によるデジタル信号処理装置について、図１、図２を用いて説明する。
【００１０】
図１に本発明の一実施の形態によるデジタル信号処理装置の同期処理回路を示し、図２に本発明による同期信号変化の一例を示している。図１において、１は入力映像信号の基準クロックを水平同期信号を基準に計数する第１の計数回路、２は前記計数回路１の計数結果を用いて所定の信号を基準に前記基準クロックを計数する第２の計数回路としてのパルス発生回路、３は前記水平同期信号を前記基準クロックで任意に遅延可能な遅延回路、４は前記遅延回路３の出力パルスと前記パルス発生回路２の出力パルスを比較して所定の方式に従って入力パルスを選択出力する同期選択回路である。
【００１１】
この図１の回路において、図２に示すように、水平同期信号ａを受けた場合、計数回路１は、入力映像信号の垂直同期信号を基準に、データ設定等で決定される回数、水平同期信号ａを計数した後、水平同期信号ａの１単位期間に入力される基準クロックを計数する。これにより、所定の期間に水平同期信号に重畳される等価パルスの影響を無視することができる。
【００１２】
計数回路１の計数結果を受け、パルス発生回路２では、水平同期信号ａをカウント開始パルスとして、計数回路１の計数結果を計数後、所定期間のパルス（水平同期発生ｂ）を発生させる。
【００１３】
前記水平同期信号ａと水平同期発生ｂは、共に遅延回路３に入力され、遅延調整されて出力される。この遅延回路３では、水平同期発生ｂの位相は、水平同期信号ａを基準に生成されるため、回路構成により発生する遅延があり、その遅延を無くすために水平同期信号ａの位相を調整している。勿論、位相調整状態で、両者を均等に遅延させることも可能である。遅延回路３で位相調整された水平同期信号ａ１とｂが同期選択回路４に入力され、両者の論理和、或いは無信号部や等価パルス重畳部を検出し、水平同期信号ｂ側を選択出力することで、水平同期信号の不連続部を無くすことができる。
【００１４】
このような同期処理回路において、本発明では、入力される水平同期信号の不連続部分を、入力同期信号の連続部分を元に生成した水平同期信号を利用することで、入力された水平同期信号と生成した同期信号の論理和で水平同期信号の無信号部分を無くし、差し替えて出力することで、等価パルスが重畳された不連続期間を無くすことが可能となる。
【産業上の利用可能性】
【００１５】
本発明によれば、デジタル伝送方式による映像信号において、不連続同期による表示映像異常や、駆動回路の誤動作を無くし、回路誤動作によるプラズマディスプレイの回路破壊を防止することができる。
【図面の簡単な説明】
【００１６】
【図１】本発明の一実施の形態によるデジタル信号処理装置の同期処理回路を示す回路図
【図２】同回路の信号処理の一例を示す信号波形図
【符号の説明】
【００１７】
１  計数回路
２  パルス発生回路
３  遅延回路
４  同期選択回路
【図１】
2005142624.tif 000003
【図２】
2005142624.tif 000004